(57)【要約】【課題】リン載置板と内壁物等との衝合を防止でき、室内スペースに応じた仏壇の設置を可能とする。【解決手段】上方に厨子部３を設けた基台部２に、前後移動しうる移動基板２０を有する経机状の収納箱４を設けるとともに、その一側方側の空所Ｈかつ移動基板２０に、垂直軸回りで枢支されるリン載置板１５を設ける。前記基台部２は、収納箱４の収納状態においてリン載置板１５を空所Ｈ内に収納し、かつ収納箱４の前方移動に連動してリン載置板１５を外開きの開放姿勢Ｊ２まで回動させる回動手段１６を具える。この回動手段１６は、収納箱４の移動距離に対するリン載置板１５の回動の角度αを変化させうる角度調整手段２９を有する。【選択図】  図１
2004305507.tif 000002
【特許請求の範囲】
【請求項１】
基台部とその上の厨子部とを別体、又は一体に有し、かつ前記基台部に、該基台部内を前後に移動しうる移動基板に、少なくとも一側方に空所を残して経机状の箱体を立ち上げた収納箱を設けた仏壇であって、
前記収納箱の前記空所内かつ移動基板に、垂直軸回りで回動自在に枢支されかつリンを載置しうるリン載置板を設け、
かつ前記基台部に、該基台部内に前記収納箱が収納された収納状態においてリン載置板を前記空所内に収納し、かつ収納箱の前への移動に連動してリン載置板を、前記基台部の側板を越えた位置で外開きの開放姿勢まで回動させる回動手段を具えるとともに、
前記回動手段は、前記収納箱の前への移動距離に対するリン載置板の前記回動の角度を変化させうる角度調整手段を有することを特徴とする仏壇。
【請求項２】
前記回動手段は、
後端の第１点Ｐ１が前記基台部の枢着点Ｋ１で枢着される第１のリンクＬａ１と、
この第１のリンクＬａ１の前端の第２点Ｐ２で後端の第３点Ｐ３が枢支され、かつ中間点が前記移動基板の枢着点Ｋ２で枢着される第２のリンクＬａ２と、
この第２のリンクＬａ２の前端の第４点Ｐ４で後端の第５点Ｐ５が枢支され、かつ前端の第６点が前記リン載置板の枢着位置ＰＮから隔たる位置でガイド手段によって前後に案内される第３のリンクＬａ３とを具え、
かつ前記第３のリンクＬａ３の前記第６点Ｐ６は、前記リン載置板に設ける案内溝に係合するとともに、  前記第２のリンクＬａ２は、前記第４点Ｐ４とは前記第３点Ｐ３からの距離が相違し、かつこの第４点Ｐ４と切り替えて前記第５点Ｐ５と枢支することにより前記回動の角度を変化させうる補助の第４点Ｐ４ａを具える、及び／又は前記第３のリンクＬａ３は、前記第５点Ｐ５とは前記第６点Ｐ６からの距離が相違し、かつこの第５点Ｐ５と切り替えて前記第４点Ｐ４と枢支することにより前記回動の角度を変化させうる補助の第５点Ｐ５ａを少なくとも具えることを特徴とする請求項１記載の仏壇。
【請求項３】
前記案内溝は、前記収納状態における前記リン載置板の収納姿勢において、前後にのびることにより、前記収納姿勢を前記回動の角度の変化に影響されることなく一定に保持しうる直線部を具えることを特徴とする請求項２記載の仏壇。
【発明の詳細な説明】
【０００１】
【発明の属する技術分野】
本発明は、経机状をなしかつリン載置板を有する収納箱を出し入れ自在に設けた仏壇に関する。
【０００２】
【従来の技術】
図１３に略示する如く、厨子部ａを上方に形成した基台部ｂに、経机状をなす収納箱ｃを前後に出し入れ自在に設けた仏壇が、特許文献１に提案されている。この仏壇では、前記収納箱ｃに、垂直軸回りで回動自在に枢着されるリン載置板ｄを配するとともに、基台部ｂに、収納箱ｃの前方移動に連動して前記リン載置板ｄを外開きの開放姿勢まで回動させる回動手段ｅを設け、これによってリンを収納箱ｃの外に出現させている。
【０００３】
【特許文献１】
特開２０００−３０８５６６号公報
【０００４】
【発明が解決しようとする課題】
しかし、近年の住宅事情においては、仏壇の設置スペースにも大きな制限がある。従って、前述の如く、リン載置板を側方に張り出して出現させる仏壇では、開放姿勢において前記リン載置板と家屋の内壁物等との衝合を避けるために、仏壇の設置スペースに応じて、リン載置板の回動角度を変化調整することが必要となる。
【０００５】
そこで本発明は、前記回動手段に、収納箱の前への移動距離に対するリン載置板の回動角度を変化させうる角度調整手段を設けることを基本として、開放姿勢におけるリン載置板と内壁物等との衝合を防止でき、室内スペースに応じた設置を可能とする仏壇の提供を目的としている。
【０００６】
【課題を解決するための手段】
前記目的を達成するために、本願請求項１の発明は、基台部とその上の厨子部とを別体、又は一体に有し、かつ前記基台部に、該基台部内を前後に移動しうる移動基板に、少なくとも一側方に空所を残して経机状の箱体を立ち上げた収納箱を設けた仏壇であって、
前記収納箱の前記空所内かつ移動基板に、垂直軸回りで回動自在に枢支されかつリンを載置しうるリン載置板を設け、
かつ前記基台部に、該基台部内に前記収納箱が収納された収納状態においてリン載置板を前記空所内に収納し、かつ収納箱の前への移動に連動してリン載置板を、前記基台部の側板を越えた位置で外開きの開放姿勢まで回動させる回動手段を具えるとともに、
前記回動手段は、前記収納箱の前への移動距離に対するリン載置板の前記回動の角度を変化させうる角度調整手段を有することを特徴としている。
【０００７】
又請求項２の発明では、前記回動手段は、
後端の第１点Ｐ１が前記基台部の枢着点Ｋ１で枢着される第１のリンクＬａ１と、
この第１のリンクＬａ１の前端の第２点Ｐ２で後端の第３点Ｐ３が枢支され、かつ中間点が前記移動基板の枢着点Ｋ２で枢着される第２のリンクＬａ２と、
この第２のリンクＬａ２の前端の第４点Ｐ４で後端の第５点Ｐ５が枢支され、かつ前端の第６点が前記リン載置板の枢着位置Ｑから隔たる位置でガイド手段によって前後に案内される第３のリンクＬａ３とを具え、
かつ前記第３のリンクＬａ３の前記第６点Ｐ６は、前記リン載置板に設ける案内溝に係合するとともに、
前記第２のリンクＬａ２は、前記第４点Ｐ４とは前記第３点Ｐ３からの距離が相違し、かつこの第４点Ｐ４と切り替えて前記第５点Ｐ５と枢支することにより前記回動の角度を変化させうる補助の第４点Ｐ４ａを具える、及び／又は前記第３のリンクＬａ３は、前記第５点Ｐ５とは前記第６点Ｐ６からの距離が相違し、かつこの第５点Ｐ５と切り替えて前記第４点Ｐ４と枢支することにより前記回動の角度を変化させうる補助の第５点Ｐ５ａを少なくとも具えることを特徴としている。
【０００８】
又請求項３の発明では、前記案内溝は、前記収納状態における前記リン載置板の収納姿勢において、前後にのびることにより、前記収納姿勢を前記回動の角度の変化に影響されることなく一定に保持しうる直線部を具えることを特徴としている。
【０００９】
【発明の実施の形態】
以下本発明の一実施形態を図面に基づき説明する。
図１において、本実施形態の仏壇１は、基台部２と、その上に形成される厨子部３とを別体に具える所謂厨子型仏壇であって、前記基台部２には、経机状の収納箱４を前後に出し入れ自在に設けている。
【００１０】
前記基台部２は、前開口の矩形箱状をなし、底板２Ａと、その両側縁で立上がる一対の側板２Ｂと、各側板２Ｂの後縁間を継ぐ背板２Ｃと、前記側板２Ｂ及び背板２Ｃの各上端間に水平に架け渡される上板部２Ｄである支持板５とにより形成される。
【００１１】
なお本例では、前記基台部２には、前記支持板５と前記収納箱４の天板４Ｂとの間に、前記収納箱４の出し入れのストロークよりも小さいストロークで出し入れしうる、仏具載置用の摺動板６を設けた場合を例示している。
【００１２】
この摺動板６は、前記支持板５との間に、線香箱、香炉等の小高さの仏具Ｗ１が入る高さｈ１を隔てて配される。この高さｈ１は、通常５〜２０ｃｍ程度、好ましくは５〜１０ｃｍに設定される。又摺動板６には、引き出し時、多くの仏具Ｗを載置可能とし、特に摺動板６の両側に、前記高さｈ１を越える長身の仏具Ｗ２、例えば蝋燭立て等を載置することができる。しかし、前記摺動板６を基台部２内に収納する際、前記長身の仏具Ｗ２が支持板５と衝合して転倒する恐れがあり、そのため本例では、支持板５の両側に、衝合回避用の切欠き部５ａ、５ａを設けている。このとき、該切欠き部５ａ、５ａ間には、前方に突出することにより、例えば過去帳などの仏具Ｗ３を載置しうる中央突部５ｂが形成される。
【００１３】
次に、前記収納箱４は、前記基台部２内を前後移動しうる移動基板２０を具える経机状をなし、本例では、駆動手段７（図３、４に示す）によってモータ駆動される場合を例示する。なお前記移動基板２０は、収納箱４の底板であって、図３、４に示すように、基台部２の前記底板２Ａに取付くボール入りスライドレール等のガイドレール１１によって、該底板２Ａとの間に間隙を有して前後移動可能に保持される。
【００１４】
又前記駆動手段７は、本例では、基台部２の前記底板２Ａに配されかつ前後にのびる一対のレール９と、前記底板２Ａに配されかつ前記レール９と平行にのびるラック１０と、前記レール９に係合して上下、左右に拘束されつつ前後に案内されるスライダ１２を下面に設けた走行枠１３と、この走行枠１３に固着されかつ回転軸に前記ラック１０に噛み合うピニオン１４を装着したモータＭとから構成される。本例では、前記ラック１０は、側面に歯部を設けた横向き状をなし、これによって底板２Ａに変形なく強固に取り付き、ピニオン１４との噛み合い不良などを防止できる。なお図４は、駆動手段７を後方から見た斜視図であり、便宜上、基台部２の側板２Ｂ、背板２Ｃなどを省いて図示している。
【００１５】
また前記基台部２の底板２Ａには、図３の如く、収納箱４が基台部２内に収納された収納状態Ｚ１と、収納箱４が最も引き出された最大引き出し状態Ｚ２（図１）とをそれぞれ検知しうるリミットスイッチＳｒ、Ｓｆが前後に設けられるとともに、前記走行枠１３には、該リミットスイッチＳｆ、Ｓｒに当接してこれらを作動させるアクチェータを設けている。なお各リミットスイッチＳｒ、Ｓｆの検出信号は、制御器（図示しない）へと入力され前記モータＭへの制御が行われる。
【００１６】
本例の仏壇１には、前記収納箱４を移動させる操作スイッチＳＴ（図１）が設けられており、例えば前への移動指示操作により、前記モータＭが所定の向きに回転する。これにより、前記ラック１０に沿って走行枠１３が前進し、収納箱４を前方へと押し出ししうる。そして、走行枠１３のリミットスイッチＳｆへの当接によりモータＭが停止し、収納箱４を最大引き出し状態Ｚ２に位置させる。
【００１７】
同様に、後への移動指示操作によって、前記モータＭが前記とは逆向きに回転し、走行枠１３がリミットスイッチＳｒに当接する、即ち収納箱４が収納状態Ｚ１となる位置まで、該収納箱４を後方へと引き込みできる。
【００１８】
又本例では、前記駆動手段７が、結合手段８を介して収納箱４に着脱可能に連結されるものを例示している。具体的には、前記走行枠１３を、例えば鉄等の磁性体で形成するとともに、結合手段８として永久磁石１７を使用する。この永久磁石１７は、前記収納箱４の例えば背面に固着され、前記走行枠１３を吸着する。このように構成することにより、例えばモータＭが前記収納状態Ｚ１において故障等によりロックした場合など、手動により収納箱４を前へと強く引っ張るという簡単な動作で駆動手段７と切り離すことができ、走行枠１３をその場に残したまま収納箱４だけを引き出しでき、モータＭの故障時にも収納箱４の前後移動を確保しうる。
【００１９】
次に、前記収納箱４は、図１に示すように、底板としての前記移動基板２０に、少なくとも一側方に空所Ｈを残して箱体２１を立設することにより形成される。詳しくは、前記箱体２１は、前記移動基板２０から立上がる縦板２１Ａ及び背板２１Ｂの上端間に、天板２１Ｃを架け渡した経机状をなし、前記縦板２１Ａは、前記収納箱４の一方の側部に配された側の縦板２１Ａ１と、中央寄りに配された中の縦板２１Ａ２とを含んで構成される。そして、この縦板２１Ａ１、２１Ａ２間に、引出しを有する前記箱体２１が形成されるとともに、該箱体２１の側部、即ち前記収納箱４の他方の側部には、空所Ｈが形成される。この空所Ｈは、本例では、その上面及び背面は、前記天板２１Ｃ及び背板２１Ｂで覆われる。
【００２０】
そして該空所Ｈには、前記移動基板２０に、垂直軸回りで回動自在に枢支されかつリンＲ１を載置しうるリン載置板１５が枢着される。又前記基台部２には、前記収納箱４の収納状態Ｚ１においてリン載置板１５を前記空所Ｈ内に収納させるとともに、収納箱４の前方移動に連動してリン載置板１５を、前記基台部２の側板２Ｂを側方に越えて外開きとなる開放姿勢Ｊ２まで回動せしめ、該リン載置板１５を前記空所Ｈから取り出す回動手段１６を設けている。
【００２１】
ここで、前記リン載置板１５は、本例では、略矩形状の板材からなり、前記収納状態Ｚ１においては、図３に示すように、その一辺ｓ１が、前記基台部２の側板２Ｂと平行、かつこれと直交する他辺ｓ２が、前記移動基板２０の前縁と平行な収納姿勢Ｊ１で前記空所Ｈ内に収納される。又この収納姿勢Ｊ１において、リン載置板１５の前記枢着位置ＰＮは、リン載置板１５の巾方向の中間位置よりも、少なくとも収納箱４の側縁に寄せた位置、好ましくは、収納箱４の側縁近傍に設ける。なお本例では、リン載置板１５に、前記一辺ｓ１に沿って側板片２２ａを、又他辺ｓ２に沿って前板片２２ｂをそれぞれ配設するとともに、この側板片２２ａの厚さ範囲に、前記枢着位置ＰＮを設けたより好ましい場合を形成している。
【００２２】
このように枢着位置ＰＮを設定することにより、本例では図８に示すように、リン載置板１５は、枢着位置ＰＮ廻りで、このリン載置板１５が側板２Ｂを側方に越えて大きく張り出す外開きの開放姿勢Ｊ２まで回動できる。
【００２３】
又前記回動手段１６は、本例では、図６、７に示す如く、第１のリンクＬａ１と、第２のリンクＬａ２と、第３のリンクＬａ３とからなるリンク機構Ｌａを有して構成される。
【００２４】
詳しくは、第１のリンクＬａ１は、その後端の第１点Ｐ１が、前記基台部２に設ける枢着点Ｋ１で回動自在に枢着される。又第２のリンクＬａ２は、その後端の第３点Ｐ３が、前記第１のリンクＬａ１前端の第２点Ｐ２で枢支されるとともに、その中間点ｍが、前記移動基板２０に設ける枢着点Ｋ２で回動自在に枢着される。又第３のリンクＬａ３は、その後端の第５点Ｐ５が、前記第２のリンクＬａ２前端の第４点Ｐ４で枢支されるとともに、その前端の第６点Ｐ６は、前記枢着位置ＰＮから内方に隔たる位置でガイド手段２４により前後に案内される。
【００２５】
前記ガイド手段２４は、例えば断面コ字状をなすガイドレール２４Ａと、このガイドレール２４Ａに沿って前後移動する例えばブロック状の移動片２４Ｂとを具える。そして本例では、該移動片２４Ｂに固定の連結板２６の後端に、前記第３のリンクＬａ３前端の第６点Ｐ６を枢着している。
【００２６】
この第６点Ｐ６は、前記リン載置板１５に設ける案内溝２７に係合しており、本例では、前記連結板２６の後端に、案内溝２７に案内される例えばローラ状の係合体２８を突設している。従って本例では、第６点Ｐ６は、連結板２６及び係合体２８を介して前記案内溝２７と係合する。
【００２７】
前記案内溝２７は、図５に示すように、前記収納姿勢Ｊ１において前後にのびる直線部２７ａを具えるとともに、該直線部２７ａの後端には、後方に向かって外方側に傾斜する傾斜部２７ｂを介して、本例では後方にのびる後直線部２７ｃが連設される。又前記直線部２７ａの前端には、前方に向かって外方側に傾斜する傾斜部２７ｄが連設する。前記傾斜部２７ｂ、２７ｄの前後方向に対する角度θｂ、θｄは、特に規制されないが、それぞれ１０〜４５°、さらには２５〜３５°とするのが好ましい。
【００２８】
又前記直線部２７ａの前端は、前記枢着位置ＰＮを通って前後方向と直交する直交線Ｘから、後方に例えば５〜１５ｍｍ程度の小距離Ｔを隔てて前記傾斜部２７ｄと接続する。これにより前記枢着位置ＰＮから案内溝２７の溝中心線ｎまでの距離ｙは、案内溝２７の前端から後端に向かって漸増する。
【００２９】
ここで、前記リンク機構Ｌａでは、第３のリンクＬａ３をなす線分（Ｐ６−Ｐ５）、第２のリンクＬａ２の第４点Ｐ４と中間点ｍとの間の線分（Ｐ４−ｍ）、及び前記第６点Ｐ４と中間点ｍとの間の線分（Ｐ６−ｍ）は、往復スライダ機構を構成する。
【００３０】
従って、前記収納箱４が基台部２に対して前方移動する際、図８に示すように第１のリンクＬａ１によって、第２のリンクＬａ２は中間点ｍ廻りで揺動し、この揺動が、前記第３のリンクＬａ３前端の第６点Ｐ６を前方にスライド移動させることとなる。
【００３１】
このとき前記第６点Ｐ６は、前記案内溝２７に係合している。従って、リン載置板１５は、前記第６点Ｐ６によって付勢され、枢着位置ＰＮから前記第６点Ｐ６までの距離が、枢着位置ＰＮから案内溝２７の溝中心線ｎまでの前記距離ｙと一致するように、リン載置板１５は、枢着位置ＰＮ廻りで回動させられる。
【００３２】
なお前記収納箱４の前方移動の初期においては、前記第６点Ｐ６は、案内溝２７の直線部２７ａを通り、これによって前記リン載置板１５は、前記収納姿勢Ｊ１が維持される。しかる後、第６点Ｐ６が直線部２７ａの前端を越えて傾斜部２７ｄに入ることにより、リン載置板１５の回動が開始する。このとき、第６点Ｐ６が、前記直交線Ｘを前方に通過するまでは、第６点Ｐ６は、いったん傾斜部２７ｄ内を前方側に移動し、しかる後、第６点Ｐ６は、傾斜部２７ｄから直線部２７ａ、傾斜部２７ｂ、後直線部２７ｃへと後方側に移動することとなる。なお、前記収納箱４の後方移動に際しては、これとは逆の動作をする。
【００３３】
そして前記回動手段１６は、さらに、前記収納箱４の前方移動距離に対するリン載置板１５の回動の角度αを変化させうる角度調整手段２９を具える。これによって、前記最大引き出し状態Ｚ２におけるリン載置板１５の開放姿勢Ｊ２を変化させることができ、該開放姿勢Ｊ２におけるリン載置板１５と家屋の内壁物等との衝合を確実に防止し、室内スペースに応じた仏壇の設置を可能とする。
【００３４】
前記角度調整手段２９は、本例では、図６、７に示すように、第３のリンクＬａ３に形成され、かつ第６点Ｐ６からの距離が、前記第５点Ｐ５とは相違する補助の第５点Ｐ５ａから形成される。この補助の第５点Ｐ５ａは、第５点Ｐ５とは切り替えて前記第２のリンクＬａ３の第４点Ｐ４に連結できる。従って、収納箱４の移動距離に対する第６点Ｐ６の位置が変化し、その結果、図９（Ａ）、（Ｂ）に比較するように、最大引き出し状態Ｚ２におけるリン載置板１５の開放姿勢Ｊ２を簡便に変化、調整することができる。
【００３５】
このとき案内溝２７は、前記直線部２７ａを少なくとも具える。従って、前記角度調整手段２９によって第６点Ｐ６の位置が調整された場合にも、収納箱４の移動初期において前記第６点Ｐ６が直線部２７ａ内に位置する限り、前記収納姿勢Ｙ１は、前記角度調整手段２９による調整に影響されることなく一定に保持される。即ち案内溝２７が直線部２７ａを具えることにより、前記角度調整手段２９は、リン載置板１５の収納姿勢Ｙ１を常に一定に保ちながら、開放姿勢Ｊ２のみを変化させることが可能となる。
【００３６】
なお角度調整手段２９として、第６点Ｐ６からの距離をそれぞれ違えた複数の補助の第５点Ｐ５ａを第３のリンクＬａ３に形成しても良い。又図６、７に一点鎖線で示すように、前記第２のリンクＬａ２に、前記第３点Ｐ３からの距離が、前記第４点Ｐ４とは相違する補助の第４点Ｐ４ａを設けることもできる。
【００３７】
また本例では、前記リンＲ１を打衝する打棒Ｒ２を同時に前に取り出し、使い勝ってをさらに高めるために、図２に示すように、前記箱体２１に、打棒保持具３０を前後動可能に設けるとともに、前記基台部２に、該打棒保持具３０を収納箱４の前方移動に連動して前に出す打棒駆動機構３１を設けている。
【００３８】
前記打棒保持具３０は、打棒Ｒ２を水平に保持するフック部３０Ａを有し、本例では、例えばボール入りスライドレール等のレール状の案内手段３２を介して、前記中の縦板２１Ａ２に前後動自在に取り付けられる。
【００３９】
又打棒駆動機構３１は、本例では、前記回動手段１６と同様、第１〜第３のリンクＬｂ１〜Ｌｂ３からなるリンク機構Ｌｂによって構成される。
【００４０】
詳しくは、図１０に示すように、第１のリンクＬｂ１は、その後端の第１点Ｑ１が、前記基台部２に設ける枢着点Ｋ３で回動自在に枢着される。又第２のリンクＬｂ２は、その後端の第３点Ｑ３が、前記第１のリンクＬｂ１の前端の第２点Ｑ２で枢支されるとともに、その中間点ｍが、前記箱体２１に設ける枢着点Ｋ４で回動自在に枢着される。又第３のリンクＬｂ３は、その後端の第５点Ｑ５が、前記第２のリンクＬｂ２の前端の第４点Ｑ４で枢支されるとともに、その前端の第６点Ｑ６が、前記打棒保持具３０の後端に枢着される。
【００４１】
このとき、第３のリンクＬｂ３をなす線分（Ｑ６−Ｑ５）、第２のリンクＬｂ２の第４点Ｑ４と中間点ｍとの間の線分（Ｑ４−ｍ）、及び前記第６点Ｑ４と中間点ｍとの間の線分（Ｑ６−ｍ）は、往復スライダ機構を構成する。従って、前記収納箱４が、基台部２に対して前方移動する際、図１１（Ａ）、（Ｂ）に示すように、第１のリンクＬｂ１によって第２のリンクＬｂ２が垂直面内で揺動する。この第２のリンクＬｂ２の揺動は、前記第６点Ｑ６の前へのスライド移動、即ち打棒保持具３０の前方移動となり、少なくとも打棒Ｒ２の一部（本例では把持部）を前記箱体２１から前方に突出させる。
【００４２】
このように仏壇１は、経机状の収納箱４の前後の出し入れを自動化しうるとともに、この収納箱４の移動に連動してリン載置板１５及び打棒保持具３０を、収納箱４から前方に取り出すことができ、使い勝手を向上しうる。又リン載置板１５の収納箱４との連動した回動によって仏壇１に荘厳さをも与えうる。またそのための前記回動手段１６及び打棒駆動機構３１を、リンク機構Ｌａ、Ｌｂによって構成したときには、簡単な構成で上述の動作を実現できる。特にリンク機構Ｌａとリンク機構Ｌｂとを同一とし共通化を図ることにより、部材品種を削減でき、生産性及び生産コストの低減を達成している。
【００４３】
しかも、前記回動手段１６は、角度調整手段２９を具えるため、開放姿勢Ｊ２におけるリン載置板１５と家屋の内壁物等との衝合を防止でき、室内スペースに応じた仏壇１の設置を行うことができる。特に、前記回動手段１６を、リンク機構Ｌａを有して形成した場合には、角度調整手段２９として、前記第２及び／又は第３のリンクＬａ２及び／又はＬａ３に、補助の第４点Ｐ４ａ及び／又は補助の第５点Ｐ５ａを設けるだけで良くなり、その構成を簡易とするとともに、角度調整作業をも容易に行うことが可能となる。
【００４４】
さらに図１２には、本発明の他の実施形態を示している。本例の仏壇１は、前記基台部２と、その上の厨子部３とを一体に形成した仏壇本体５０を有する所謂家具調仏壇であって、該仏壇本体５０には、前記基台部２及び厨子部３をともに開閉しうる一対の外扉５１が配される。なお前記基台部２は、その側板２Ｂが前記仏壇本体５０の略全長に亘って延設され、該側板２Ｂ、２Ｂ間に、前記基台部２と厨子部３とを区切る仕切部５２をなす前記支持板５が架け渡される。
【００４５】
以上、本発明の特に好ましい実施形態について詳述したが、本発明は図示の実施形態に限定されることなく、種々の態様に変形して実施しうる。
【００４６】
【発明の効果】
以上説明したように本発明の仏壇は、回動手段に、収納箱の前への移動距離に対するリン載置板の回動角度を変化させうる角度調整手段を設けているため、開放姿勢におけるリン載置板と内壁物等との衝合を防止でき、室内スペースに応じた仏壇の設置を可能とする。
【図面の簡単な説明】
【図１】本発明の仏壇の一実施例を、収納箱の最大引き出し状態において示す斜視図である。
【図２】その主要部を、収納箱の収納状態において示す斜視図である。
【図３】基台部を平面に沿って切断した断面図である。
【図４】駆動手段の一部を背面側から見た部分斜視図である。
【図５】収納状態におけるリン載置板を示す平面図である。
【図６】最大引き出し状態におけるリン載置板の開放姿勢を回動手段とともに示す平面図である。
【図７】回動手段を誇張して示す斜視図である。
【図８】リン載置板の動きを回動手段とともに示す線図である。
【図９】（Ａ）、（Ｂ）は、角度調整手段によるリン載置板の開放姿勢の変化を示す線図である。
【図１０】打棒駆動機構を箱体の収納状態において示す断面図である。
【図１１】（Ａ）、（Ｂ）は打棒駆動機構の動きを説明する断面図である。
【図１２】本発明の仏壇の他の実施例を、箱体の収納状態において示す斜視図である。
【図１３】従来技術を説明する斜視図である。
【符号の説明】
２      基台部
２Ａ    基台部の側板
３      厨子部
４      収納箱
１５    リン載置板
１６    回動手段
２０    移動基板
２１    箱体
２７    案内溝
２７ａ  直線部
２９    調整手段
Ｊ１    収納姿勢
Ｊ２    開放姿勢
Ｈ      空所
Ｚ１    収納状態
【図１】
2004305507.tif 000003
【図２】
2004305507.tif 000004
【図３】
2004305507.tif 000005
【図４】
2004305507.tif 000006
【図５】
2004305507.tif 000007
【図６】
2004305507.tif 000008
【図７】
2004305507.tif 000009
【図８】
2004305507.tif 000010
【図９】
2004305507.tif 000011
【図１０】
2004305507.tif 000012
【図１１】
2004305507.tif 000013
【図１２】
2004305507.tif 000014
【図１３】
2004305507.tif 000015